(57)【要約】      （修正有）【課題】長手方向の寸法が調節可能であって、壁面への安定した固定が可能となる、音響装置を提供する。【解決手段】音響装置１は、第１スピーカーユニットを配設した第１スピーカーボックス６と、第２スピーカーユニットを配設した第２スピーカーボックス７と、第１スピーカーボックス６と第２スピーカーボックス７と、を内設した筐体２と、を有する。筐体２は、第１スピーカーボックス６と、第２スピーカーボックス７との間隔を調節する調節部を有する。【選択図】図１
2020141263.tif 000002
【特許請求の範囲】
【請求項１】
第１スピーカーユニットを配設した第１スピーカーボックスと、
第２スピーカーユニットを配設した第２スピーカーボックスと、
前記第１スピーカーボックスと、前記第２スピーカーボックスと、を、内設した筐体と、
を、有し、
前記筐体は、前記第１スピーカーボックスと、前記第２スピーカーボックスと、の、間隔を調節する調節部を有することを特徴とする音響装置。
【請求項２】
前記筐体は、前記音響装置を壁面に固定するための固定部を有することを特徴とする請求項１記載の音響装置。
【請求項３】
前記筐体は、
前記第１スピーカーボックスを内設した第１筐体と、前記第２スピーカーボックスを内設した第２筐体と、
前記第１筐体と、前記第２筐体と、に、介在する第３筐体と、
を、有することを特徴とする請求項１または２記載の音響装置。
【請求項４】
前記第１スピーカーボックスを前記筐体内部に吊設する第１吊設部と、前記第２スピーカーボックスを前記筐体内部に吊設する第２吊設部と、を、有することを特徴とする請求項１から３いずれかに記載の音響装置。
【請求項５】
前記第１吊設部と、前記第２吊設部と、は、前記筐体に設けた開孔に挿入されたボルトによって、前記第１スピーカーボックスと、前記第２スピーカーボックスと、を、吊設したものであり、
前記ボルトの頭部と、前記筐体と、の、間に弾性体を介したことを特徴とする請求項４記載の音響装置。
【請求項６】
前記開孔は円弧状の長孔であり、前記第１スピーカーユニット、及び前記第２スピーカーユニットの放音方向を、前記筐体に対して調節可能であることを特徴とする請求項５記載の音響装置。
【請求項７】
前記音響装置の放音側の面には、前記音響装置の外形に対応したグリルが配設されることを特徴とする請求項１から６いずれかに記載の音響装置。
【請求項８】
前記第１スピーカーボックス、及び前記第２スピーカーボックスは、バスレフポートを有し、前記バスレフポートの放音方向が前記筐体内部に向かっていることを特徴とする請求項１から７いずれかに記載の音響装置。
【請求項９】
前記第１スピーカーボックスのバスレフポートの放音口と、前記第２スピーカーボックスのバスレフポートの放音口と、に、挟まれた前記筐体内部に、
前記音響装置動作時に発熱する特性の機器を配設する場所を有することを特徴とする請求項８記載の音響装置。
【請求項１０】
前記音響装置は、前記音響装置を壁面に固定する壁面固定具を有し、前記壁面固定具は、前記音響装置の長手方向の端面を支持することを特徴とする請求項１から９いずれかに記載の音響装置。
【請求項１１】
第１スピーカーユニットを配設した第１スピーカーボックスと、
第２スピーカーユニットを配設した第２スピーカーボックスと、
前記第１スピーカーボックスと、前記第２スピーカーボックスと、を、内設した筐体と、
を、有し、
前記筐体において、前記第１スピーカーボックスと、前記第２スピーカーボックスと、の、間隔が可変であることを特徴とする音響装置。
【請求項１２】
前記筐体は、
前記第１スピーカーボックスを内設した第１筐体と、前記第２スピーカーボックスを内設した第２筐体と、
前記第１筐体と、前記第２筐体と、に、介在する第３筐体と、
を、有し、
前記第３筐体は、直線状長孔を有し、
前記第１筐体、及び、前記第２筐体は、前記直線状長孔に挿通されたネジにより、前記第３筐体に接続されていることを特徴とする請求項１１記載の音響装置。
【発明の詳細な説明】
【技術分野】
【０００１】
本発明は、音響装置に関する。
【背景技術】
【０００２】
複数のチャンネルのスピーカーを、１つの筐体に収容した音響装置には、テレビの画面の下に隣接配置される、いわゆるバータイプの音響装置がある。このようなバータイプの音響装置は、テレビとは別に販売されることが多い。そのため、テレビの幅と、バータイプの音響装置の幅と、が、一致しないことがある。このような状態は、美観上、好ましくない場合がある。
【０００３】
テレビの画面サイズは種々あるため、テレビの幅と、バータイプの音響装置の幅と、を、一致させるために、バータイプの音響装置の幅を、調節する技術がある。特許文献１では、バータイプの音響装置の筐体に取り付けたスピーカーボックスの位置を、筐体の長手方向にスライドさせ、バータイプの音響装置の幅を、テレビの幅に合わせ、美観を向上させている。
【先行技術文献】
【特許文献】
【０００４】
【特許文献１】ＵＳ  ２０１０／０１０４１２４  Ａ１公報
【発明の概要】
【発明が解決しようとする課題】
【０００５】
特許文献１のバータイプの音響装置（以下、音響装置と記す）の構成を、図１１を参照して説明する。図１１（ａ）のように、従来の音響装置１０１は、第１スピーカーユニット１０８を配設した第１スピーカーボックス１０６、及び第２スピーカーユニット１０９を配設した第２スピーカーボックス１０７が、筐体１０２に配設されている。図１１（ｂ）のように、第１スピーカーボックス１０６、及び第２スピーカーボックス１０７は、筐体１０２に対して、長手方向（図１１のＸ軸方向）にスライドさせることが可能であり、音響装置１０１の、長手方向の幅を調節することが出来る。
【０００６】
液晶テレビなどの薄型テレビは、壁面に直接固定されることがある。このような場合、音響装置１０１も、美観上、壁面に固定されることが望ましい。しかし、上述の背景技術では、音響装置１０１を、ネジ等で壁面に固定する際、ネジ止め可能な場所は、筐体１０２の部分に限られる。図１１（ｃ）においては、筐体１０２の四隅が、壁面固定ネジ１２０、及び壁面固定ネジ１２１等によって、壁面に固定されている。
【０００７】
第１スピーカーボックス１０６、及び第２スピーカーボックス１０７が、直接壁面にネジ止め等で固定されると、スピーカーボックスの振動が、直接壁面に伝導しやすくなる。このため、壁面の不要な振動が発生しやすく、これが雑音となってしまうことがある。また、音響装置１０１の音が、壁面を伝わって、隣室へ漏れやすくなってしまうこともある。さらに、第１スピーカーボックス１０６、及び第２スピーカーボックス１０７が、直接壁面に固定される構造にするためには、スピーカーボックスに取り付け金具等を付加する必要が生じるため、音響装置１０１の音質に悪影響を与える恐れもある。
【０００８】
このため、音響装置１０１を、壁面に固定するには、筐体１０２の四隅を、壁面固定ネジ１２０、及び壁面固定ネジ１２１等を用いて、固定しなくてはならない。音響装置１０１は、例えば、１メートル程度の長手方向（Ｘ軸方向）の長さがある。音響装置１０１を、壁面に安定して取り付けるには、音響装置１０１の長手方向の端部付近を固定することが好ましい。しかし、従来の音響装置１０１では、音響装置１０１の長手方向の端部はスピーカーボックスであるため、端部では固定できない。このため、音響装置１の、壁面への固定が不安定となっていた。
【０００９】
さらに、一般的な建造物の壁面は、内部の構造が均一でないことが多い。例えば、ネジ止め可能な柱がある部分、ネジ止めできない柱のない部分、ネジ止めが困難なコンクリートの柱がある部分、などである。このため、従来の音響装置１０１のように、筐体１０２の部分でのみ、壁面にネジ止め可能な構造は、取り付け工事に大きな制約が生じる場合があった。
【００１０】
さらに、第１スピーカーボックス１０６、及び第２スピーカーボックス１０７は、筐体１０２から、Ｘ軸方向に突出した構造となっているため、筐体１０２に強固に固定する必要がある。そのため、第1スピーカーボックス１０６、及び第２スピーカーボックス１０７の振動が、筐体１０２に伝導しやすい構造となっていた。
【００１１】
本発明は、上記問題点に鑑みてなされたものであり、長手方向の寸法が調節可能であって、壁面への安定した固定が可能となる、音響装置を提供することを課題とする。
【課題を解決するための手段】
【００１２】
本発明の音響装置は、第１スピーカーユニットを配設した第１スピーカーボックスと、第２スピーカーユニットを配設した第２スピーカーボックスと、前記第１スピーカーボックスと、前記第２スピーカーボックスと、を、内設した筐体と、を、有し、前記筐体は、前記第１スピーカーボックスと、前記第２スピーカーボックスと、の、間隔を調節可能であることを特徴とする。
【発明の効果】
【００１３】
本発明によれば、長手方向の寸法が調節可能であって、壁面への安定した固定が可能となる、音響装置を提供することができる。
【図面の簡単な説明】
【００１４】
【図１】本発明の実施形態に係る音響装置の一例を示す図である。
【図２】本発明の実施形態に係る音響装置の一例を示す図である。
【図３】本発明の実施形態に係る音響装置の一例を示す図である。
【図４】本発明の実施形態に係る音響装置の一例を示す図である。
【図５】本発明の実施形態に係る音響装置の吊設部の一例を示す図である。
【図６】本発明の実施形態に係る音響装置の一例を示すブロック図である。
【図７】本発明の実施形態に係る音響装置の一例を示す図である。
【図８】本発明の実施形態に係る音響装置を壁面に取り付けた状態の一例を示す図である。
【図９】本発明の実施形態に係る音響装置の一例を示す図である。
【図１０】本発明の実施形態に係る音響装置の一例を示す図である。
【図１１】従来の音響装置の外観を示す図である。
【発明を実施するための形態】
【００１５】
以下、本発明の実施形態に係る音響装置について説明する。図１は、本発明の実施形態に係る音響装置１の外観を示す図で、音響装置１を、図１のＺ軸の正の方向から負の方向を見た図、即ち、聴取者側から見た図である。音響装置１は、第１スピーカーユニット８を配設した第１スピーカーボックス６、第２ピーカーユニット９を配設した第２スピーカーボックス７、これらを内部に配設（内設）する、筐体２によって構成されている。筐体２は、第１スピーカーボックスを内設した第１筐体３と、第２スピーカーボックス７を内設した第２筐体４と、を、有する。さらに、筐体２は、第１筐体３と、第２筐体４と、を、接続する第３筐体５を有する。
【００１６】
ここで、スピーカーボックスは、スピーカーユニットをエンクロージャーに配設したものを示す。スピーカーボックスは、信号を入力すれば、入力信号を放音可能な構成となっている。なお、図１は、１つのスピーカーボックスに、１つのスピーカーユニットが配設されているが、これに限るものではなく、２つ以上のスピーカーユニットが配設されていてもよい。
【００１７】
第１スピーカーボックス６、及び第２スピーカーボックス７は、第１吊設部１０、及び第２吊設部１１によって、第１筐体３、及び第２筐体４に、それぞれ吊り下げられた構造、即ち吊設された構造をとっている（詳細は後述する）。このため、第１スピーカーボックス６と、第１筐体３は接触していない。同様に、第２スピーカーボックス７と、第２筐体４も、接触していない。
【００１８】
第３筐体５は、直線状長孔１３を有し、第１筐体３、及び第２筐体４は、筐体調節ネジ１２によって、第３筐体５に固定されている（筐体調節ネジ１２は、直線状長穴１３に挿通されている）。この構造（調節部）によって、第１筐体３、及び第２筐体４を、第３筐体５に対して、直線状長孔１３の長さの範囲で、固定位置を任意に調節することができ、音響装置１の長手方向（Ｘ軸方向）の長さを、テレビの幅に合わせて調節することができる。なお、図１では、第１筐体３と、第３筐体５と、は、１つの直線状長孔１３に対して、１本の筐体調節ネジ１２で固定されているが、例えば２本の筐体調節ネジ１２によって固定されていてもよい。１つの直線状長孔１３に対して、複数本の筐体調節ネジ１２で固定したほうが、より強固に固定できる場合がある。第２筐体４と、第３筐体５と、の、間の固定も同様である。
【００１９】
図２を用いて、音響装置１の、長手方向（Ｘ軸方向）の長さを調節した状態を説明する。図２（ａ）、（ｂ）、（ｃ）のように、直線状長孔１３のどの部分に、筐体調節ネジ１２を用いて、第１筐体３、及び第２筐体４を固定するかによって、音響装置１の長手方向の長さを調節する。図２（ｃ）は、音響装置１の、長手方向の長さを最大にした状態である。これよりも長くしたい場合は、第３筐体２の代わりに、より長い延長第３筐体１４を用いてもよい。また、第１筐体３と、第３筐体５と、の、間に、別の筐体を挿入して固定し、より長い音響装置１とすることもできる。同様に、第２筐体４と、第３筐体５と、の、間に、別の筐体を挿入して固定してもよい。ここで、別の筐体は、第１筐体３と同じものを用いてもよく、また延長のための専用の筐体でもよい。
【００２０】
図３は、音響装置１を、壁面に固定する際の、固定箇所の一例を示している。図３（ａ）、は、筐体２の長手方向（Ｘ軸方向）の端部の四隅を、壁面固定ネジ２０、及び壁面固定ネジ２１等を用いて、音響装置１を、壁面に固定した例である。また、図３（ｂ）は、第２筐体３、及び第２筐体４の四隅を、壁面固定ネジ２２、及び壁面固定ネジ２３等を用いて、壁面に固定した場合を示している。さらに、第１筐体３、第２筐体４、及び第３筐体５の、他の部分を、壁面に固定してもよい。固定の方法は、筐体にあけた孔（固定部）を用いて壁面にネジ止めしてもよく、また筐体２に固定金具を取り付けて、壁面に固定してもよい。これによって、音響装置１の長手方向の端面に近い部分で、壁面に固定できるため、音響装置１を安定して壁面に固定することが可能となる。また、筐体２のどの部分でも壁面に固定できるため、壁面の内部構造の不均一さによる、取り付け位置の制約を受け難くなる。
【００２１】
また、固定箇所はスピーカーボックスではなく、筐体２であるため、スピーカーボックスの振動が壁面に伝わり難く、壁面の不要な振動による雑音の発生を、抑えることが出来る。また、隣室に音響装置１の音を、漏れ難くすることができる。さらに、スピーカーボックスの音質に対して、壁面固定ネジ２０などが、悪影響を与えることを、抑えることができる。
【００２２】
図４を用いて、スピーカーボックスの吊設構造を説明する。図４（ａ）のように、第１スピーカーボックス６、及び第２スピーカーボックス７は、第１筐体３、及び第２筐体４に、それぞれ、第１吊設部１０、及び第２吊設部１１によって、吊り下げられた状態で配設、即ち吊設されている。第１吊設部１０は、図５に示すような形状の、ボルトを用いている。第１吊設部１０のボルトは、ボルト頭部５１と、ボルトネジ山部５３と、の、間に、ゴムなどの弾性体５２を配置している。第２吊設部１１も同様である。
【００２３】
図４（ｂ）は、音響装置１を、Ｙ軸の正の方向から負の方向を見た図である。第１筐体３と、第２筐体４の天板部分（Ｙ軸に直行した面）には、円弧状長孔５０が形成されている。第１吊設部１０、及び第２吊設部１１を、円弧状長孔５０に通して、第１スピーカーボックス６、及び第２スピーカーボックス７を、吊設している。第１筐体３、及び第２筐体４は、第１吊設部１０、及び第２吊設部１１の、弾性体５２と接触している。そのため、第１スピーカーボックス６、及び第２スピーカーボックス７の振動は、弾性体５２で大部分が吸収されるので、筐体２に伝わり難くなる。
【００２４】
第１スピーカーボックス６、及び第スピーカーボックス７は、円弧状長孔５０に、それぞれ、第１吊設部１０、及び第２吊設部１１によって吊設されているため、放音方向を調節することが可能である。音響装置１は、長手方向の長さを調節することができるため、長手方向の長さの調節に応じて、スピーカーボックスの放音方向を、聴取者に向けることを要請される場合がある。図４（ｃ）のように、円弧状長孔５０の、どの位置に、第１吊設部１０、及び第２吊設部１１を配置するかによって、スピーカーボックスの放音方向を、容易に調節することができる。なお、第１スピーカーボックス６、及び第２スピーカーボックス７の、角を面取りし、放音方向の調節範囲を広げてもよい。
【００２５】
図４（ｄ）は、音響装置１を、Ｘ軸の正の方向から負の方向に見た図である。第２吊設部１１の、ボルトネジ山部５３を、どの程度スピーカーボックス７に貫入させるかを調節することにより、スピーカーボックス７の放音方向を、上下方向（Ｙ軸方向）に調節することも可能である。第２吊設部の弾性体５２は、図５に示すように半球状をしているので、図４（ｄ）のように、スピーカーボックス７を傾けた状態でも、安定した吊設が可能である。
【００２６】
上述の、第１吊設部１０、及び第２吊設部１１の構造は、図５の様なボルト形状に限るものではない。スピーカーボックスが、筐体２に接触しないように吊設できる構造であれば良い。さらに、弾性体５２のように、スピーカーボックスの振動が、筐体２に伝導しにくい構造があれば、より好ましい。
【００２７】
上述の第１筐体３、及び第２筐体４は、Ｙ−Ｚ平面に平行な断面が、例えばコの字型をしている（図４（ｄ）参照）。放音側の面は、スピーカーボックス７が直接見える構造だが、後述するように、放音側の面にグリルを取り付けてもよい。コの字型の筐体４は、例えば、金型加工によって、鉄板で形成してもよく、また、アルミの押し出し加工によって形成してもよい。また、第１筐体、及び第２筐体は、前面が解放された箱のような形状でもよい。また、第３筐体５も同様であるが、放音する場所がないため、必ずしもコの字型である必要はない。例えば、前面が塞がっている、断面がロの字型の筒状構造でもよい。また、第１筐体３と、第３筐体５と、の、固定は、例えば筐体２の背面（放音方向と反対側の面）に、調節部を設けて固定してもよい。筐体２の天面、もしくは底面に、調節部を設けて、固定してもよいことは言うまでもない。筐体２の断面形状は、適宜選択することが可能である。
【００２８】
図６は、本発明の実施形態に係る音響装置１の、回路構成を示すブロック図である。音響装置１は、２つのスピーカー（第１スピーカーユニット３７、及び第２スピーカーユニット４０）を有している。それぞれ、左チャンネルと、右チャンネルに相当する。さらに、音響装置１は、記録メディアなどの音源の再生信号や、テレビ信号などを入力する入力部３１と、入力部３１が取得した信号をデコードし、各チャンネルの音響信号毎に信号処理を行う信号処理部３２と、信号処理部３２が出力した各チャンネルのデジタル信号を、アナログ信号に変換するＤ／Ａ変換器３５、及びＤ／Ａ変換器３８と、増幅器３６、及び増幅器３９と、を、有している。
【００２９】
さらに音響装置１は、音響装置１全体を制御するシステム制御部３３と、ユーザーの入力情報を取得する操作部３４と、を、有する。また、これらを駆動するための電源（図示せず）を有する。
【００３０】
図６で説明した、各種回路や電源は、音響装置１の外部に配置してもよいが、音響装置１の内部に配置することもできる。図７（ａ）は、筐体２の内部に、図６で説明した、回路や電源に相当する電子機器６０を、配置した音響装置１を示す。この他に、音響装置１の筐体２の内部の空間には、例えば、ポータブルの再生装置や、スマートスピーカー（所定のウェイクワードを音声認識することによって起動し、音声コマンドに対して応答するスピーカー）などを配置してもよい。また、センターチャンネルやサブウーハ―のスピーカーボックスを、配置してもよい。更に、サラウンド用のチャンネルのスピーカーボックスを、配置してもよい。
【００３１】
上述の電子機器６０等は、発熱するため、冷却できるように、筐体２には、放熱孔（図示せず）が設けられる。放熱孔による自然換気だけで、電子機器６０の冷却が不十分な場合は、第１スピーカーボックス６、及び第２スピーカーボックス７の、バスレフポート６１による、空気の動きを利用することもできる。図７（ｂ）は、第１スピーカーボックス６、及び第２スピーカーボックス７の、バスレフポート６１の向きを示す図である。バスレフポート６１は、電子機器６０が配置されている、筐体２の内部の方向に向いている。音を再生すると、スピーカーボックス内部の空気は、バスレフポート６１を介して、出入りする。この空気の動きにより、電子機器６０をより効率よく、冷却することができる。また、バスレフポート６１を、音響装置１の筐体２内部に向けることによって、筐体２をさらなるスピーカーボックスとして用いて、低音域の再生性能を向上させることもできる。
【００３２】
なお、図７の２つのバスレフポート６１は、対向しているが、Ｙ軸方向に相互にずらして配置してもよい。これによって、２つのバスレフポート６１で発生した空気の流れが、直接ぶつかり難くなるため、より効率よく電子機器６０を冷却することが出来る。さらに、電子機器６０の冷却を重視する場合は、筐体２のＸ軸方向の寸法を縮めて、バスレフポート６１を、電子機器６０に近づけてもよい。
【００３３】
図８は、音響装置１を、壁面固定具６５を用いて壁面６３に固定した図（Ｙ軸の正の方向から負の方向を見た図）である。壁面固定具６５は、Ｙ軸方向から見て、コの字型の形状をしている。壁面固定具６５は、壁面６３に、壁面固定ネジ２０、及び壁面固定ネジ２１によって、固定されている。音響機器１は、筐体２の長手方向の端面が、側面固定ネジ６４によって、壁面固定具６５に固定されている。図１１で説明した従来の音響装置１０１は、端部がスピーカーボックスであるため、壁面固定具を用いる場合は、筐体１０２の端面で固定せざるを得なかった。これに対し、本発明の音響装置１は、長手方向の端部が、スピーカーボックスではなく筐体２であるので、図８のように音響装置１の端部で、固定することが可能である。これによって、音響装置１を、壁面６３に安定して固定することが可能となる。
【００３４】
さらに、側面固定ネジ６４を挿入する音響装置１の端部の孔を、図８（ｂ）、（ｃ）に示すように、長孔（側面長孔６６）にすることによって、壁面に対して前後（Ｚ軸方向）に位置調節することが可能となる。図１１で説明した従来の音響装置１０１は、音響装置１０１の端面を壁面固定具に固定することが出来ないため、前後方向の位置調節を行うには、筐体１０２の背面に、パンタグラフ状の、複雑な機構の壁面固定具が、用いられていた。本発明の音響装置１は、図８（ｂ）、（ｃ）の様な、単純な構造で、音響装置１のＺ軸方向の位置調節が可能となる。これによって、テレビの画面に、音響装置１の放音側の面を合わせることが容易になり、美観を向上することができる。
【００３５】
（変形例１）
音響装置１の筐体２は、長手方向の長さを調節する機構を有しているため、筐体２の継ぎ目が、ユーザーに視認しやすい場合がある。このため、筐体２の放音側の面に、グリルを取り付けるとよい。グリルは、長手方向の長さを調節可能な機構を有していてもよいし、また、長さの異なる部品を組み立てて、長さを調節してもよい。また、主なテレビの横幅は、数種類に限られているので、それぞれの横幅に合わせたグリルを、あらかじめ用意して、選択して用いてもよい。また、音響装置１の筐体２の、他の面にも、適宜化粧番板等を取り付けてもよい。
【００３６】
（変形例２）
図９は、音響装置１の、Ｙ−Ｚ平面における断面図であり、筐体２に、グリル７０を取り付ける部分の構造を示す。筐体２内部に、電子機器６０等を設置するときや、グリル７０を取り外して使用したいユーザーのために、容易に着脱できるように、グリル７０は筐体２に、磁石によって固定するとよい。第２筐体４がアルミなどの材料で形成されている場合は、第２筐体４には、磁石につく鉄片７６、たとえばネジの頭部などが配置されている。グリル７０には、磁石７４が配置されている。
【００３７】
図９（ｃ）のように、鉄片７６より大きい磁石７４を用いると、磁石７４は周辺部の方が、磁束密度が高いため、図９（ｄ）のように、磁石７４の中心からずれて、鉄片７６がついてしまう。このため磁石７４は、鉄片７６と同程度の大きさが好ましいが、音響装置１の筐体２と、グリル７０との位置調節の余地が小さくなる。本発明の音響装置１のように、筐体２が伸縮可能な場合、筐体２とグリル７０の寸法に差が出やすい。そのため、グリル７０の位置調節の余地が小さいと、テレビに対してグリル７０を、正しい位置に微調節して固定できない恐れがある。また、鉄片７６を磁石７４よりも大きくする方法もあるが、鉄片７６にネジの頭部を用いる場合、大きなネジを用いなければならなくなる。頭部の大きなネジを作成することは一般に難しく、また、グリル７０を外して使用するとき、美観を損ねる恐れがある。
【００３８】
図９（ａ）のように、磁石７４に、磁石７４より径が大きい鉄板７５を配置すると、鉄片７６は、鉄板７５のどこにもつけることができるので、グリル７０の取り付け位置の調節が容易になる。
【００３９】
また、図９（ｂ）のように、磁石７４を凸型にし、樹脂ワッシャ７７を嵌め込んで、グリル７０に取り付けてもよい。これにより、磁石７４の鉄片７６の位置における磁束密度は、ほぼ均一となるので、同様にグリル７０の取り付け位置の調節が容易となる。
【００４０】
（変形例３）
図１０（ａ）は、音響装置１を、Ｘ軸の正の方向から負の方向に見た図である（本図では、図８（ｂ）の、Ｚ軸方向の位置調節機能は省略している）。第２筐体４には、グリル７０が、上述のように磁石７４によって固定されている。磁石７４は、グリル７０を容易に着脱するためのものであるが、大きな地震や、ユーザーがグリル７０にぶつかった時などに、グリル７０が落下する恐れがある。そのため、図１０（ｂ）のように、第２筐体４に、フック７３を設けておくとよい。グリル７０は、上述のように、磁石７４と、鉄片７５によって固定されているため、フック７３は、通常の使用時は、グリル７０の固定の機能は果たしていない。しかし、グリル７０が、地震等によって外れた時、グリル７０の凹部７２にフック７３が引っ掛かり、グリル７０の落下を防止することが可能となる。
【００４１】
（変形例４）
上述の筐体２（第１筐体３、第２筐体４、第３筐体５）を、上下方向（Ｙ軸方向）に分割し、間に延長金具を追加することによって、筐体２の上下方向の寸法を調節する機構を設けてもよい。また、上下方向に分割した第１筐体３、及び第２筐体４を、Ｙ軸方向の長さが長い第３筐体５に固定してもよい。筐体２の上下方向の寸法を調節可能にすることにより、Ｙ軸方向の寸法がより大きいスピーカーボックスを内設できるようになる。またＹ軸方向の寸法が大きい電子機器６０を配置することもできる。
【００４２】
以上説明したように、本実施形態では、第１スピーカーユニットを配設した第１スピーカーボックスと、第２スピーカーユニットを配設した第２スピーカーボックスと、前記第１スピーカーボックスと、前記第２スピーカーボックスと、を、内設した筐体と、を、有し、前記筐体は、前記第１スピーカーボックスと、前記第２スピーカーボックスと、の、間隔を調節する調節部を有することを特徴とする。これによって、２つのスピーカーボックスの間隔を調節可能な、音響装置を提供することが出来る。
【００４３】
また、本実施形態では、前記筐体は、前記音響装置を壁面に固定するための固定部を有することを特徴とする。これによって、音響装置を壁面に安定して固定することが出来る。
【００４４】
また、本実施形態では、前記筐体は、前記第１スピーカーボックスを内設した第１筐体と、前記第２スピーカーボックスを内設した第２筐体と、前記第１筐体と、前記第２筐体と、に、介在する第３筐体と、を、有することを特徴とする。これによって、２つのスピーカーボックスの間隔を調節可能な、音響装置の筐体を提供することが出来る。
【００４５】
また、本実施形態では、前記第１スピーカーボックスを前記筐体内部に吊設する第１吊設部と、前記第２スピーカーボックスを前記筐体内部に吊設する第２吊設部と、を、有することを特徴とする。これによって、スピーカーボックスの振動が、筐体に伝わり難くなり、音響装置を壁面に固定した場合、スピーカーボックスの振動が壁面に伝わり難くなる。このため、壁面の不要な振動による雑音を低減することが出来る。また、スピーカーボックスから放音される音の音質が、筐体や壁面の影響を受け難くなる。
【００４６】
また、本実施形態では、前記第１吊設部と、前記第２吊設部と、は、前記筐体に設けた開孔に挿入されたボルトによって、前記第１スピーカーボックスと、前記第２スピーカーボックスと、を、吊設したものであり、前記ボルトの頭部と、前記筐体と、の、間に弾性体を介したことを特徴とする。これにより、スピーカーボックスの振動が、より筐体に伝わり難くい音響装置を提供することが出来る。またスピーカーボックスの放音方向を、上下方向に角度をつける調節が可能となる。
【００４７】
また、本実施形態では、前記開孔は円弧状の長孔であり、前記第１スピーカーユニット、及び前記第２スピーカーユニットの放音方向を、前記筐体に対して調節可能であることを特徴とする。これによって、スピーカーの放音方向を、左右に調節が可能な音響装置を提供することが出来る。音響装置の長さを変えたときも、スピーカーの放音方向を好適な方向に調節することが可能となる。
【００４８】
また、本実施形態では、前記音響装置の放音側の面には、前記音響装置の外形に対応したグリルが配設されることを特徴とする。これにより、音響装置の外形寸法を調節しても、放音側から見た外観が良好な、音響装置を提供することができる。
【００４９】
また、本実施形態では、前記第１スピーカーボックス、及び前記第２スピーカーボックスは、バスレフポートを有し、前記バスレフポートの放音方向が前記筐体内部に向かっていることを特徴とする。これにより、筐体をさらに大きいスピーカーボックスとして機能させることが可能となるため、低音再生能力を高めた音響装置を提供することが出来る。
【００５０】
また、本実施形態では、前記第１スピーカーボックスのバスレフポートの放音口と、前記第２スピーカーボックスのバスレフポートの放音口と、に、挟まれた前記筐体内部に、前記音響装置動作時に発熱する特性の機器を配設する場所を有することを特徴とする。これによって、音響装置内に配設された、アンプ、電源、スマートスピーカー等の、発熱する特性を有する機器を、バスレフポートによって形成される空気の動きによって冷却可能な音響装置を提供することが出来る。
【００５１】
また、本実施形態では、前記音響装置は、前記音響装置を壁面に固定する壁面固定具を有し、前記壁面固定具は、前記音響装置の長手方向の端面を支持することを特徴とする。これにより、音響装置を壁面に安定して固定することが出来る。
【００５２】
また、本実施形態では、第１スピーカーユニットを配設した第１スピーカーボックスと、第２スピーカーユニットを配設した第２スピーカーボックスと、前記第１スピーカーボックスと、前記第２スピーカーボックスと、を、内設した筐体と、を、有し、前記筐体において、前記第１スピーカーボックスと、前記第２スピーカーボックスと、の、間隔が可変であることを特徴とする。これによって、２つのスピーカーボックスの間隔を調節可能な、音響装置を提供することが出来る。
【００５３】
また、本実施形態では、前記筐体は、前記第１スピーカーボックスを内設した第１筐体と、前記第２スピーカーボックスを内設した第２筐体と、前記第１筐体と、前記第２筐体と、に、介在する第３筐体と、を、有し、前記第３筐体は、直線状長孔を有し、前記第１筐体、及び、前記第２筐体は、前記直線状長孔に挿通されたネジにより、前記第３筐体に接続されていることを特徴とする。これによって、２つのスピーカーボックスの間隔を調節可能な、音響装置を提供することが出来る。
【００５４】
本発明は、上述した実施形態に限られるものではなく、特許請求の範囲及び明細書全体から読み取れる発明の要旨或いは思想に反しない範囲で適宜変更可能であり、そのような変更を伴う音響装置もまた本発明の技術的範囲に含まれる。
【産業上の利用可能性】
【００５５】
本発明は、音響装置に好適に採用され得る。
【符号の説明】
【００５６】
１…音響装置、２…筐体、３…第１筐体、４…第２筐体、５…第３筐体、６…第１スピーカーボックス、７…第２スピーカーボックス、８…第１スピーカーユニット、９…第２スピーカーユニット、１０…第１吊設部、１１…第２吊設部、１２…筐体調節ネジ、１３…直線状長孔、１４…延長第３筐体、２０…壁面固定ネジ、３１…入力部、３２…信号処理部、３３…システム制御部、３４…操作部、３５…Ｄ／Ａ変換器、３６…増幅器、５０…円弧状長孔、５１…ボルト頭部、５２…弾性体、５３…ボルトネジ山部、６０…電子機器、６１…バスレポート、６３…壁面、６４…側面固定ネジ、６５…壁面固定具、６６…側面長孔、７０…グリル、７１…凸部、７２…凹部、７３…フック、７４…磁石、７５…鉄板、７６…鉄片、７７…樹脂ワッシャ、１０１…音響装置、１０２…筐体、１０６…第１スピーカーボックス、１０７…第２スピーカーボックス、１０８…第１スピーカーユニット、１０９…第２スピーカーユニット、１２０…壁面固定ネジ
【図１】
2020141263.tif 000003
【図２】
2020141263.tif 000004
【図３】
2020141263.tif 000005
【図４】
2020141263.tif 000006
【図５】
2020141263.tif 000007
【図６】
2020141263.tif 000008
【図７】
2020141263.tif 000009
【図８】
2020141263.tif 000010
【図９】
2020141263.tif 000011
【図１０】
2020141263.tif 000012
【図１１】
2020141263.tif 000013